【手続補正書】
【提出日】平成20年4月8日(2008.4.8)
【手続補正１】
【補正対象書類名】特許請求の範囲
【補正対象項目名】請求項１９
【補正方法】変更
【補正の内容】
【請求項１９】
遊離塩基が窒素塩基、例えばアンモニア、第一、第二、第三および第四アミン類；メラミン、尿素、ビュレット、グアニジン、アルキルグアニジン、アリールグアニジン、ジフェニルグアニジン、ビグアニド、ビュレット、アラトイン、アセトグアナミン、ベンゾグアナミン、トリルトリアゾール、ベンゾトリアゾール、２−アミノ−４−メチルピリミジン、ベンジル尿素、エチレンジメラミン、アセチレン尿素、ヒダントイン、マロン酸アミドアミジン、ジメチル尿素、５，５−ジフェニルヒダントイン、Ｎ，Ｎ‘−ジフェニル尿素、エチレンビス−５−トリアゾン、グリシン酸無水物、テトラメチル尿素、トリエタノールアミン、メラミンの縮合体、例えばメレム、メラムまたはメロン、またはこの種の更に高度に縮合された化合物を含有する、請求項１８に記載の方法。
【手続補正２】
【補正対象書類名】特許請求の範囲
【補正対象項目名】請求項２３
【補正方法】変更
【補正の内容】
【請求項２３】
所望のカチオンの塩が モノ−、ジ−、オリゴ−またはポリカルボン酸よりなる群から選択される有機アニオンを有する化合物［蟻酸の塩（蟻酸塩）、酢酸の塩（アセテート、アセテート水和物）、三フッ化酢酸（三フッ化酢酸塩水和物）、プロピオン酸塩、酪酸塩、吉草酸塩、カプリル酸塩、オレイン酸塩、ステアリン酸塩、 蓚酸の塩（蓚酸塩）、酒石酸の塩（酒石酸塩）、クエン酸の塩（クエン酸塩、塩基性クエン酸塩、クエン酸塩水和物）、安息香酸の塩（安息香酸塩）、サリチル酸塩、乳酸の塩 (乳酸塩、乳酸塩水和物)、アクリル酸の塩、マレイン酸の塩、 コハク酸の塩、アミノ酸の塩（グリシン）、酸性ヒドロキシ官能性化合物の塩（フェノラート）、パラフェノールスルホン酸塩、パラフェノールスルホン酸塩水和物、アセチルアセトナート水和物、タンニン酸塩、ジメチルジチオカルバミン酸塩、トリフルオロメタンスルホン酸塩、アルキルスルホン酸塩、アルアルキルスルホン酸塩］である、請求項１８〜２１のいずれか一つに記載の方法。
【手続補正３】
【補正対象書類名】特許請求の範囲
【補正対象項目名】請求項２６
【補正方法】変更
【補正の内容】
【請求項２６】
所望のカチオンの塩がプロトン化窒素塩基の塩、例えばアンモニア、第一、第二、第三および第四アミン類；メラミン、尿素、ビュレット、グアニジン、アルキルグアニジン、アリールグアニジン、ジフェニルグアニジン、ビグアニド、ビュレット、アラトイン、アセトグアナミン、ベンゾグアナミン、トリルトリアゾール、ベンゾトリアゾール、２−アミノ−４−メチルピリミジン、ベンジル尿素、エチレンジメラミン、アセチレン尿素、ヒダントイン、マロン酸アミドアミジン、ジメチル尿素、５，５−ジフェニルヒダントイン、Ｎ，Ｎ’−ジフェニル尿素、エチレンビス−５−トリアゾン、グリシン酸無水物、テトラメチル尿素、トリエタノールアミン、メラミンの縮合体、例えばメレム、メラムまたはメロン、またはこの種の更に高度に縮合された化合物のそれである、請求項１８〜２１のいずれか一つに記載の方法。
【手続補正４】
【補正対象書類名】特許請求の範囲
【補正対象項目名】請求項３３
【補正方法】変更
【補正の内容】
【請求項３３】
添加物がトリス（ヒドロキシエチル）イソシアヌレートと芳香族ポリカルボン酸とのオリゴマーエステル、ベンゾグアナミン、トリス（ヒドロキシエチル）イソシアヌレート、アラントイン、グリコールウリル、メラミン、メラミンシアヌレート、尿素シアヌレート、ジシアンジアミドおよび／またはグアニジンよりなる群から誘導されている、請求項２９〜３１のいずれか一つに記載の用途。
【手続補正５】
【補正対象書類名】明細書
【補正対象項目名】０００２
【補正方法】変更
【補正の内容】
【０００２】
本発明はジオルガニルホスフィン酸塩、その用途およびその製造方法に関する。
【手続補正６】
【補正対象書類名】明細書
【補正対象項目名】０００４
【補正方法】変更
【補正の内容】
【０００４】
ドイツ特許出願公開第１９，６１６，０２５号明細書には、塩化アルミニウムおよびエチル（エチルメチル）ホスフィナートからホスフィン酸塩を製造する方法を開示している。
【手続補正７】
【補正対象書類名】明細書
【補正対象項目名】００３７
【補正方法】変更
【補正の内容】
【００３７】
遊離塩基は好ましくは所望のカチオンの酸化物、混合金属酸化物水酸化物、水酸化物、炭酸塩、水酸化物炭酸塩、または炭酸水素塩である。
【手続補正８】
【補正対象書類名】明細書
【補正対象項目名】００４０
【補正方法】変更
【補正の内容】
【００４０】
所望のカチオンの他の有利な塩には、モノ−、ジ−、オリゴ−またはポリカルボン酸、即ち蟻酸の塩（蟻酸塩）、酢酸の塩（アセテート、アセテート水和物）、三フッ化酢酸の塩（三フッ化酢酸塩水和物）、プロピオン酸塩、酪酸塩、吉草酸塩、カプリル酸塩、オレイン酸塩、ステアリン酸塩、 蓚酸の塩（蓚酸塩）、酒石酸の塩（酒石酸塩）、クエン酸の塩（クエン酸塩、塩基性クエン酸塩、クエン酸塩水和物）、安息香酸の塩（安息香酸塩）、サリチル酸塩、乳酸の塩 (乳酸塩、乳酸塩水和物)、アクリル酸の塩、マレイン酸の塩、 コハク酸の塩、アミノ酸の塩（グリシン）、酸性ヒドロキシ官能性化合物の塩（フェノラート）、パラフェノールスルホン酸塩、パラフェノールスルホン酸塩水和物、アセチルアセトナート水和物、タンニン酸塩、ジメチルジチオカルバミン酸塩、トリフルオロメタンスルホン酸塩、アルキルスルホン酸塩、アルアルキルスルホン酸塩 よりなる群から選択される無機アニオンを有する化合物である。
【手続補正９】
【補正対象書類名】明細書
【補正対象項目名】００５１
【補正方法】変更
【補正の内容】
【００５１】
難燃剤組成物の用途においては、この添加物はトリス（ヒドロキシエチル）イソシアヌレートと芳香族ポリカルボン酸とのオリゴマーエステル、ベンゾグアナミン、トリス（ヒドロキシエチル）イソシアヌレート、アラントイン、グリコールウリル、メラミン、メラミンシアヌレート、尿素シアヌレート、ジシアンジアミドおよび／またはグアニジンよりなる群から誘導されるのが有利である。
【手続補正１０】
【補正対象書類名】明細書
【補正対象項目名】００７０
【補正方法】変更
【補正の内容】
【００７０】
この方法での有効なスクリュー長さ（Ｌ）はスクリュー直径（Ｄ）の倍数として表現して好ましくは４〜２００Ｄ、特に好ましくは１０〜５０Ｄである。
【手続補正１１】
【補正対象書類名】明細書
【補正対象項目名】００８１
【補正方法】変更
【補正の内容】
【００８１】
モノ−、ジ−、オリゴ−またはポリカルボン酸の群から選択される有機アニオンを有する部分的に水溶性のイオン化可能化合物、例えば蟻酸の塩（蟻酸塩）、酢酸の塩（アセテート、アセテート水和物）、三フッ化酢酸の塩（三フッ化酢酸塩水和物）、プロピオン酸塩、酪酸塩、吉草酸塩、カプリル酸塩、オレイン酸塩、ステアリン酸塩、 蓚酸の塩（蓚酸塩）、酒石酸の塩（酒石酸塩）、クエン酸の塩（クエン酸塩、塩基性クエン酸塩、クエン酸塩水和物）、安息香酸の塩（安息香酸塩）、サリチル酸塩、乳酸の塩 (乳酸塩、乳酸塩水和物)、アクリル酸の塩、マレイン酸の塩、 コハク酸の塩、アミノ酸（グリシン）の塩、酸性ヒドロキシ官能性化合物の塩（フェノラート）、パラフェノールスルホン酸塩、パラフェノールスルホン酸塩水和物、アセチルアセトン酸塩水和物、タンニン酸塩、ジメチルジチオカルバミン酸塩、トリフルオロメタンスルホン酸塩、アルキルスルホン酸塩、アルアルキルスルホン酸塩 よりなる群から選択される部分的に水溶性のイオン化可能化合物が有利である。
【手続補正１２】
【補正対象書類名】明細書
【補正対象項目名】０１０４
【補正方法】変更
【補正の内容】
【０１０４】
ここで所望のカチオンを提供する有利な塩は酢酸塩類、ヒドロオキソ酢酸塩類、塩化物類、ヒドロオキソ塩化物類、硝酸塩、硫酸塩、ヒドロオキシ硫酸塩である。水溶液中のそれらの濃度は好ましくは５〜９５％（無水固体状態）、好ましくは２０〜５０重量％である。
【手続補正１３】
【補正対象書類名】明細書
【補正対象項目名】０１１９
【補正方法】変更
【補正の内容】
【０１１９】
本発明の難燃剤組成物は、
１）  ３０〜９９．９重量％の本発明のジオルガニルホスフィン酸塩
２）  ０．１〜５０重量％の少なくとも１種類の添加物
を含有する。
【手続補正１４】
【補正対象書類名】明細書
【補正対象項目名】０１２４
【補正方法】変更
【補正の内容】
【０１２４】
リン酸との反応生成物は、メラミンまたは縮合されたメラミン化合物、例えばメラム、メレムまたはメロン等とリン酸との反応によって生成される化合物である。これらの例にはメラミンポリホスファート、メラムポリホスファート、およびメレムポリホスファート、および国際特許出願第９８／３９３０６号明細書に記載の混合ポリ塩がある。上記の化合物は文献から公知であり、リン酸との直接反応以外の方法で製造することもできる。例としては、国際特許出願公開第９８／４５３６４号明細書と同様にポリリン酸とメラミンとの反応によってまたは国際特許出願公開第９８／０８８９８号明細書と同様にメラミンホスファートまたはメラミンピロホスファートの縮合によってメラミンポリホスファートを製造することができる。
【手続補正１５】
【補正対象書類名】明細書
【補正対象項目名】０２２９
【補正方法】変更
【補正の内容】
【０２２９】
例２（比較例）
５６ｇの予め乾燥した（Ｒ）Celanex 2500 (PBT) および ドイツ特許出願第１９８５１６１８（１９９７ＤＥ１２８）、例２の１４ｇ のジオルガニルホスフィン酸塩（アセテート含有量８８００ｐｐｍ）を実験室用ニーダー中で２４０℃で６分間４０回転／分で混合する。冷却後に、試験体組成物のＳＶ値は５７８と測定される。この値はジオルガニルホスフィン酸塩とポリマーとの相容性が不十分であることを示している。
【手続補正１６】
【補正対象書類名】明細書
【補正対象項目名】０２３０
【補正方法】変更
【補正の内容】
【０２３０】
例３（比較例）
５６ｇの予め乾燥した（Ｒ）Celanex 2500 (PBT) および ドイツ特許出願第１９８５１６１８（１９９７ＤＥ１２８）、例４の１４ｇ のジオルガニルホスフィン酸塩（アセテート含有量４５００ｐｐｍ）を実験室用ニーダー中で２４０℃で６分間４０回転／分で混合する。冷却後に、試験体組成物のＳＶ値は５８９と測定される。この値はジオルガニルホスフィン酸塩とポリマーとの相容性が不十分であることを示している。